【手続補正書】
【提出日】平成17年11月15日(2005.11.15)
【手続補正１】
【補正対象書類名】特許請求の範囲
【補正対象項目名】全文
【補正方法】変更
【補正の内容】
【特許請求の範囲】
【請求項１】
送信元から複数の受信主体において同時受信可能に送信されたデータを受信する受信回路と、
当該信号処理装置のユーザの行動履歴の情報、当該信号処理装置のユーザの属性の情報、及び当該信号処理装置を識別するための識別情報の少なくともいずれかを含む情報であるユーザ情報と、上記受信回路で受信したデータとに基づく印刷用データをプリンタに出力する処理回路とを有することを特徴とする信号処理装置。
【請求項２】
上記処理回路は、上記複数の受信主体において同時受信可能に送信されたデータを受信したデータから、一部のデータを上記ユーザ情報に基づいて選択することで上記プリンタに出力する上記印刷用データを発生する回路を少なくとも含むことを特徴とする請求項１に記載の信号処理装置。
【請求項３】
上記複数の受信主体において同時受信可能に送信されたデータは、上記印刷用データを出力するための上記選択の対象となるデータと知覚化デバイスによってユーザが認識し得る知覚刺激を順次に生じさせるためのデータとを含んでいることを特徴とする請求項２に記載の信号処理装置。
【請求項４】
上記処理回路は、上記複数の受信主体において同時受信可能に送信されたデータと上記ユーザ情報とに基づいて、上記印刷用データもしくは該印刷用データを得るために必要なデータを要求する信号をこの信号処理装置の外部に対して出力する回路を少なくとも含むことを特徴とする請求項１に記載の信号処理装置。
【請求項５】
上記複数の受信主体において同時受信可能に送信されたデータは、知覚化デバイスによってユーザが認識し得る知覚刺激を順次に生じさせるためのデータを少なくとも含んでおり、上記ユーザの行動履歴の情報は該データを知覚化した時間に関する情報であることを特徴とする請求項１〜４のいずれか１項に記載の信号処理装置。
【請求項６】
上記ユーザ情報は、上記受信回路で受信したデータに基づいて取得されるものであることを特徴とする請求項１〜５のいずれか１項に記載の信号処理装置。
【請求項７】
知覚化デバイスと、請求項１に記載の信号処理装置とを有しており、上記複数の受信主体において同時受信可能に送信されたデータは、上記知覚化デバイスによってユーザが認識し得る知覚刺激を順次に生じさせるためのデータを少なくとも含んでいることを特徴とする知覚化装置。
【請求項８】
請求項１に記載の信号処理装置と、上記処理回路から出力される上記印刷データに基づく印刷を行うプリンタとを有することを特徴とする印刷装置。
【請求項９】
信号処理装置の制御方法であって、
送信元から複数の受信主体において同時受信可能に送信されたデータを受信するステップと、
上記信号処理装置のユーザの行動履歴の情報、上記信号処理装置のユーザの属性の情報、及び上記信号処理装置を識別するための識別情報の少なくともいずれかを含む情報であるユーザ情報と、上記受信回路で受信したデータとに基づく印刷用データをプリンタに出力するステップとを有することを特徴とする信号処理装置の制御方法。
【手続補正２】
【補正対象書類名】明細書
【補正対象項目名】発明の名称
【補正方法】変更
【補正の内容】
【発明の名称】信号処理装置、知覚化装置、印刷装置、及び信号処理装置の制御方法
【手続補正３】
【補正対象書類名】明細書
【補正対象項目名】０００１
【補正方法】変更
【補正の内容】
【０００１】
本発明は、送信元から複数の受信主体において同時受信可能に送信されたデータを受信できる信号処理装置及びそれらを用いた知覚化装置、印刷装置、更には信号処理装置の制御方法に関する。
【手続補正４】
【補正対象書類名】明細書
【補正対象項目名】００１６
【補正方法】変更
【補正の内容】
【００１６】
本願に係る第１の発明は、送信元から複数の受信主体において同時受信可能に送信されたデータを受信する受信回路と、当該信号処理装置のユーザの行動履歴の情報、当該信号処理装置のユーザの属性の情報、及び当該信号処理装置を識別するための識別情報の少なくともいずれかを含む情報であるユーザ情報と、上記受信回路で受信したデータとに基づく印刷用データをプリンタに出力する処理回路とを有することを特徴とする信号処理装置の発明である。
【手続補正５】
【補正対象書類名】明細書
【補正対象項目名】００１９
【補正方法】変更
【補正の内容】
【００１９】
本願に係る第４の発明は、上記第１の発明において、上記処理回路は、上記複数の受信主体において同時受信可能に送信されたデータと上記ユーザ情報とに基づいて、上記印刷用データもしくは該印刷用データを得るために必要なデータを要求する信号をこの信号処理装置の外部に対して出力する回路を少なくとも含むものとする発明である。
該要求する信号を出力する相手としては上記送信元もしくは該送信元からの送信を制御する制御装置でも良いし、上記送信元とは異なる送信装置もしくは該送信装置からの送信を制御する制御装置であっても良い。該要求する信号に応じて送られてくる上記印刷用データもしくは該印刷用データを得るために必要なデータは上記受信回路で受信しても良く、また上記処理回路が含む他の受信回路で受信しても良い。
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】変更
【補正の内容】
【００２１】
本願発明に係る第５の発明は、上記第１〜第４の発明のいずれかにおいて、上記複数の受信主体において同時受信可能に送信されたデータは、知覚化デバイスによってユーザが認識し得る知覚刺激を順次に生じさせるためのデータを少なくとも含んでおり、上記ユーザの行動履歴の情報は該データを知覚化した時間に関する情報であるものとする発明である。
なお、知覚化した時間に関する情報とは知覚化した時間の長さ、知覚化した時刻、知覚化を中断していた時間の長さ、知覚化を中断した時刻、知覚化を終了した時刻の情報などを含む。
【手続補正８】
【補正対象書類名】明細書
【補正対象項目名】００２２
【補正方法】削除
【補正の内容】
【手続補正９】
【補正対象書類名】明細書
【補正対象項目名】００２３
【補正方法】削除
【補正の内容】
【手続補正１０】
【補正対象書類名】明細書
【補正対象項目名】００２４
【補正方法】変更
【補正の内容】
【００２４】
本願に係る第６の発明は、上記第１〜第５の発明のいずれかにおいて、上記ユーザ情報は、上記受信回路で受信したデータに基づいて取得されるものであるとする発明である。
【手続補正１１】
【補正対象書類名】明細書
【補正対象項目名】００２５
【補正方法】変更
【補正の内容】
【００２５】
本願に係る第７の発明は、知覚化デバイスと、上記の信号処理装置とを有しており、上記複数の受信主体において同時受信可能に送信されたデータは、上記知覚化デバイスによってユーザが認識し得る知覚刺激を順次に生じさせるためのデータを少なくとも含んでいることを特徴とする知覚化装置の発明である。
【手続補正１２】
【補正対象書類名】明細書
【補正対象項目名】００２６
【補正方法】変更
【補正の内容】
【００２６】
本願に係る第８の発明は、上記の信号処理装置と、上記処理回路から出力される上記印刷データに基づく印刷を行うプリンタとを有することを特徴とする印刷装置の発明である。
【手続補正１３】
【補正対象書類名】明細書
【補正対象項目名】００２７
【補正方法】変更
【補正の内容】
【００２７】
本願に係る第９の発明は、信号処理装置の制御方法であって、送信元から複数の受信主体において同時受信可能に送信されたデータを受信するステップと、上記信号処理装置のユーザの行動履歴の情報、上記信号処理装置のユーザの属性の情報、及び上記信号処理装置を識別するための識別情報の少なくともいずれかを含む情報であるユーザ情報と、上記受信回路で受信したデータとに基づく印刷用データをプリンタに出力するステップとを有することを特徴とする信号処理装置の制御方法の発明である。